(57)【特許請求の範囲】
【請求項１】
直腸内に挿入可能な大きさの頭部と頭部下端に接続された袴部からなる楕円体の本体において、
前記頭部は、上端が丸みを持たせてあり、途中から下細りになった頭部下細りテーパー面を有し、
前記袴部は、前記頭部下細りテーパー面と反対方向に末広がりの袴部末広がりテーパー面を有し、
前記頭部と前記袴部との間に括れ部が形成され、
前記袴部は、前記袴部末広がりテーパー面下端において前記袴部の最大径を形成後、下細りの袴部下細りテーパー面に移行し、
前記袴部下細りテーパー面の傾斜角度は、括約筋の長さだけ離れた前記頭部下細りテーパー面のところの傾斜角度より小さくしてあり、
前記袴部末広がりテーパー面末端が外側括約筋と中間括約筋との間の環状溝の位置に達したとき、前記袴部が括約筋下辺と接触するところの直径と肛門括約筋上辺に位置する部分の頭部の直径がほぼ等しくなるようにされ、
前記袴部末広がりテーパー面末端が外側括約筋と中間括約筋の間の環状溝に達する前において、括約筋が収縮すると、前記頭部下細りテーパー面が括約筋の側圧を受けて上に向けて押し上げられると共に、前記袴部末広がりのテーパー面が括約筋の側圧を受けて、前記頭部下細りテーパー面が受ける上向きの力を段階的に相殺し、
前記袴部末広がりテーパー面末端が外側括約筋と中間括約筋の間の環状溝の位置に達したときに、この位置より上方に移動しようとしても、前記袴部下細りテーパー面の傾斜角度が前記頭部下細りテーパー面の傾斜角度より小さいため、括約筋の上辺と接する前記頭部下細りテーパー面の直径が、前記袴部の末広がりテーパー面の直径より小さくなることで、前記袴部末広がりテーパー面により下向きの作用を受け、マッサージ器本体を上下方向に動かす力がバランスするように構成された前立腺マッサージ器の本体。
【請求項２】
直腸内に挿入可能な大きさの頭部と前記頭部下端に接続された袴部からなる楕円体の組み合わせにおいて、前記頭部は途中から下細りになった頭部下細りテーパー面を有し、
前記袴部は、前記頭部下端から末広がりの袴部末広がりテーパー面を有し、前記頭部との間に括れ部を形成し、前記袴部末広がりテーパー面末端で最大径を形成し、前記袴部末広がりテーパー面の下において下細りの袴部下細りテーパー面を形成し、
前記袴部下細りテーパー面の傾斜角度は、括約筋の長さだけ離れた前記頭部下細りテーパー面のところの傾斜角度より小さくしてあり、
前記頭部下細りテーパー面、前記袴部末広がりテーパー面及び前記袴部下細りテーパー面を含む括約筋腔の長さのセグメントにおいて、前記セグメントの上端に当たる前記頭部下細りテーパー面のところの直径と前記セグメントの下端に当たる前記袴部下細りテーパー面のところの直径とが等しくなるように設定され、
少なくとも前記頭部および前記袴部末広がりテーパー面のところの袴部の部分が括約筋腔内に挿入された状態であって、括約筋腔の上辺に当たる前記頭部下細りテーパー面のところの直径と前記括約筋の下辺に当たる前記袴部下細りテーパー面のところの直径とが等しくなる状態まで前記頭部および前記袴部が括約筋腔に挿入されていない状態においては、括約筋が収縮すると、前記頭部下細りテーパー面が括約筋の側圧を受けて上に向けて押し上げられると共に、前記袴部末広がりテーパー面が括約筋の側圧を受けて、前記頭部下細りテーパー面が受ける上向きの力を段階的に相殺し、
括約筋腔の上辺に当たる前記頭部下細りテーパー面のところの直径と括約筋の下辺に当たる前記袴部下細りテーパー面のところの直径とが等しくなる状態より奥に前記袴部が括約筋腔内に挿入された状態においては、これより奥に移動しようとしても、前記袴部下細りテーパー面の傾斜角度が前記頭部下細りテーパー面の傾斜角度より小さいため、括約筋の上辺と接する前記頭部下細りテーパー面の直径が、前記袴部末広がりテーパー面の直径より小さくなることで、前記袴部末広がりテーパー面により下向きの作用を受け、前記袴部が括約筋腔内に遊動的に保持されるようにされている前立腺マッサージ器の本体。
【発明の詳細な説明】
【０００１】
【発明の属する技術分野】
括約筋の収縮弛緩により前立腺及び会陰に圧力を加え非病原菌性前立腺炎症、前立腺肥大症の症状軽減、治療を行う器具。
【０００２】
【従来の技術】
本発明は非病原菌性前立腺炎症の治療を行う器具である。
従来の技術は米国特許番号５，７９７，９５０及び５，８６１，０００号及び平成１１年２月１５日特願平１１−７４２２９、識別番号５９９０３７０４５号だけであり、全て本件特許出願人高島二郎による発明である。
【０００３】
【発明が解決しようとする課題】
本発明は平成１１年２月１５日特願平１１−７４２２９、識別番号５９９０３７０４５号の楕円体本体の頭部と袴部の相関関係についての詳細な追加発明であり、括約筋の収縮弛緩に応じて直腸内を上下し前立腺をマッサージする器具においてその上下運動のストローク距離を維持しつつも括約筋が最大限に収縮した時点においても袴部が括約筋上端を越え直腸内に進入しないように頭部と袴部の傾斜角度の割合を定める必要があった。
【０００４】
【課題を解決するための手段】
原発明による前立腺マッサージ器は直腸内に挿入可能な先細りのテーパー側面をもつ楕円体の頭部本体と頭部本体のテーパー面を肛門括約筋腔内に遊動的に保持する脚部で構成されたものである。肛門括約筋が収縮すると楕円体は直腸内に引き込まれ前立腺に圧力を加えると同時に脚部先端は会陰の指圧壺に圧力をかける構造になっている。この構造では会陰部にかなりな圧力がかかるので使用者によっては不快感を与えていた。本発明は脚部により会陰部への圧力を弱める目的或いは脚部が頭部テーパー面を括約筋腔内に遊動的に保持する役割に取り替わり末広がりのテーパー面をもつ袴部を頭部下端に取り付けたものである。頭部の下細りのテーパー面の角度と袴部の末広がりのテーパー面の角度の設定は括約筋が収縮したとき頭部が直腸内に引き込まれる力を袴部が部分的に相殺してもなお括約筋の収縮に応じて上下にスライドできる距離を維持して前立腺への圧力を加減出来るようにした。更に本発明は状況に応じて強い圧力が必要な場合、括約筋を最大限に収縮させることにより袴部末広がり末端が外側と中間の肛門括約筋の間にある環状溝の位置に止まるようにした発明である。このようにした場合、袴部末広がり末端が外側と中間の肛門括約筋の間にある環状溝でグリップされるため括約筋収縮時に括約筋自体が上方へ引き上げられるのに従って楕円体も引き上げられ更に強い圧力を前立腺に加えることが可能になる。
【０００５】
【発明の実施の形態】
第１図ａ，ｂ，ｃは本発明の動作説明図であり誇張した形状で示してある。
楕円体状の前立腺マッサージ器本体１は頭部２及び袴部６で構成されている。点線のラインＡは肛門括約筋の上辺の位置を示し、点線ラインＢは肛門括約筋下辺の位置を示し、点線ラインＣは随意括約筋の外側括約筋と中間括約筋の間にある肛門内部の環状溝の位置を示す。楕円体本体の長さはおおむね１０ｃｍ以内であり、頭部先端３は丸みを帯び途中から下方に向けて下細りテーパー側面４を形成しており、括約筋が収縮した場合その側圧を受けて上方に押し上げられる角度に設定されている。このテーパー部分４の長さは括約筋動作部ラインＡからラインＢの間と同程度であり、括約筋の収縮から受ける側圧を無駄なく利用できるようにしてある。頭部２の下端５には袴部６が取り付けられている。袴部は頭部下端から末広がりのテーパ面７を形成しており括約筋が収縮したとき頭部下細りテーパー面が受ける上向きの力を段階的に相殺する働きを持っている。この末広がりテーパー面７の長さは実用上括約筋腔の深さ、Ａ及びＢ間の１／４から３／４程度である。この末広がり下端８から先は下細りのテーパー面９に移るがこのテーパー面の傾斜角度は同部分が括約筋下辺に接触しているときに括約筋上辺に接触している頭部のテーパー面の傾斜角度より小さくしてある。第１図ａは随意括約筋が弛緩時に本体１が括約筋腔内に挿入された状態を示す。この状態では本体１は不随意筋である内肛門括約筋で保持されている。第１図ｂは随意括約筋が収縮し、その側圧を受けた本体頭部の下細り傾斜面の作用で本体が直腸内に押し上げられ、袴部末広がりテーパー面下端８が括約筋の下辺Ｂに達した状態を示している。この場合袴部テーパー面下端８の直径は頭部が括約筋上端と接触しているところＦの直径より幾分小さいので更に括約筋下辺を越えて第１図ｃの状態に達する。この状態では袴部が括約筋下辺と接触している所Ｋの直径は頭部が括約筋上辺と接触しているところＪの直径とほぼ同じで、マッサージ器本体が括約筋の側圧により受ける上下方向の力がバランスするようにしてある。また本体がこの位置より上方に移動しようとしても袴部下細りテーパー面の傾斜角度が頭部テーパー面の傾斜角度より緩いので、本体が上がるに従い括約筋上辺に接触するところの直径は括約筋下辺に接触する所の直径より小さくなるので括約筋の側圧で押し下げられる作用を受け上方に移動できない。、このようにして袴部末広がり末端８が外側と中間の肛門括約筋の間にある環状溝の位置ラインＣに達したとき肛門括約筋の側圧から受ける上下方向の力がバランスするよう頭部と袴部のそれぞれの傾斜面の長さ、角度を決定したものである。また、これらの長さ及び角度の割合を変えることで、袴部が括約筋腔内でバランスする位置を変えることが出来る。
【０００６】
【実施例】
頭部を直腸内に挿入し括約筋を収縮弛緩することにより下細りの頭部下方のテーパー面及び頭部下部に接続された袴部が括約筋収縮から受ける作用で頭部は直腸内で上下運動を繰りかえし前立腺に適度な圧力を加えることが出来る。
【０００７】
【発明の効果】
本発明品を使用することにより自分自身で渋滞した前立腺液を排出出来るとともに血行を促し前立腺の健康を増進することを目的とした器具である。また同時に括約筋の収縮弛緩を繰り返すことにより括約筋を鍛錬し、血行の循環を促すので括約筋、秘尿、生殖器官の全般的な調子向上を促す。
【図面の簡単な説明】
【図１】動作説明図
【符号の説明】
Ａは括約筋上辺の位置  Ｂ括約筋下辺の位置  Ｃは外括約筋と中間括約筋接続面にある肛門内部の環状溝の位置  １前立腺マッサージ器本体  ２頭部  ３は頭部頂点  ４頭部下細りテーパー側面  ５頭部下端  ６袴部  ７袴部末広がりテーパー面  ８袴部末広がりテーパー面下端  ９袴部下細りテーパー面  Ｆ及びＪ頭部と括約筋上辺の接触点  Ｇ及びＫ袴部と括約筋下辺の接触点
【図１】
0004731682.tif 000002